(57)【要約】【課題】映像を記録する記録媒体が脱着可能である映像記録装置で、例えば、記録媒体ユニットへの映像記録や、記録媒体ユニットからの映像再生を効果的に行う。【解決手段】映像を記録する記録媒体１が脱着可能である映像記録装置２１において、記録媒体１は、ネットワークと接続する機能と、記録された映像を接続されたネットワークを介して出力する機能を有する。更に、記録媒体１が映像記録装置の本体２に格納されている状態では映像の書き込みと読み出しが可能である一方、記録媒体１が映像記録装置の本体２から取り出されてネットワークと接続されている状態では記録された映像の読み出しのみが可能であるように構成された。【選択図】  図１
2010157300.tif 000002
【特許請求の範囲】
【請求項１】
映像を記録する記録媒体が脱着可能である映像記録装置において、
前記記録媒体は、ネットワークと接続する機能と、記録された映像を前記接続されたネットワークを介して出力する機能を有しており、
更に、前記記録媒体が前記映像記録装置の本体に格納されている状態では映像の書き込みと読み出しが可能である一方、前記記録媒体が前記映像記録装置の本体から取り出されてネットワークと接続されている状態では記録された映像の読み出しのみが可能であるように構成された、
ことを特徴とする映像記録装置。
【発明の詳細な説明】
【技術分野】
【０００１】
本発明は、映像記録装置に関し、特に、ネットワークに接続されているネットワークデジタル記録装置や、記録媒体に脱着機構を設ける構成に関する。
【背景技術】
【０００２】
ネットワーク技術の高速化と低価格化に伴い、映像データの伝送にＩＰ（Ｉｎｔｅｒｎｅｔ  Ｐｒｏｔｏｃｏｌ）ネットワークが用いられることは一般的になってきた。それに伴い、記録装置のネットワーク対応も進み、記録媒体の交換を容易とする脱着機構を設けるものも増えてきた。
【０００３】
図１には、このような記録媒体脱着型の映像記録装置の一例を示してある。
本例の映像記録装置は、記録媒体ユニット１及びネットワーク型デジタル記録装置２を組み合わせて構成されるネットワーク型映像記録装置２１と、複数であるｎ個のカメラ装置４−１〜４−ｎと、情報端末装置５と、ネットワーク型映像記録装置２１やカメラ装置４−１〜４−ｎや情報端末装置５を接続するネットワーク（伝送路）３を備えている。
【０００４】
各カメラ装置４−１〜４−ｎは、被写体を撮影するカメラ、例えば、監視カメラ或いはＩＰカメラ等から構成されており、撮影した被写体の映像信号をネットワーク３へ出力する。本例では、各カメラ装置４−１〜４−ｎはＩＰカメラから構成されているとする。
ここで、ＩＰカメラは、撮影した被写体の映像信号をＪＰＥＧ（Ｊｏｉｎｔ  Ｐｈｏｔｏｇｒａｐｈｉｃ  Ｅｘｐｅｒｔｓ  Ｇｒｏｕｐ）フォーマットやＭＰＥＧ４（Ｍｏｖｉｎｇ  Ｐｉｃｔｕｒｅ  Ｅｘｐｅｒｔｓ  Ｇｒｏｕｐ  ４）フォーマット等で圧縮して、ネットワーク３へ映像データを出力する。
なお、カメラ装置４−１〜４−ｎを代表させて説明する場合には、カメラ装置４と称する。また、カメラ装置４には、マイク（図示せず）或いは進入物体検出用のセンサ（図示せず）の一方又は両方が設けられているものもあり、これらの出力信号も映像信号に含まれるものとする。
【０００５】
ネットワーク３は、上述の映像信号を伝送するものであり、例えば、ＬＡＮ（Ｌｏｃａｌ  Ａｒｅａ  Ｎｅｔｗｏｒｋ）、インターネット或いは公衆回線等のネットワークを含み、複数のコンピュータを結び、制御信号やデータなどの信号を伝送する。
情報端末装置５は、例えば、パソコン（Ｐｅｒｓｏｎａｌ  Ｃｏｍｐｕｔｅｒ）等のデータ処理装置から構成されており、ネットワーク接続でのＷｅｂブラウザ等を搭載し、視聴ＰＣとも呼ばれる。
【０００６】
記録媒体ユニット１は、ハードディスク（以後、ＨＤＤとも記載する）や半導体メモリ（以後、ＳＳＤとも記載する）などの記録媒体を、専用のケースに内包したものである。
ネットワーク型デジタル記録装置２は、ネットワーク３に接続されており、記録媒体ユニット１の脱着機構を有するものである。
本例では、説明の便宜上から、ネットワーク型デジタル記録装置２に記録媒体ユニット１が格納された状態をネットワーク型映像記録装置２１と呼称し、また、記録媒体ユニット１に対して、格納先であるのネットワーク型デジタル記録装置２を、ラックユニット２と呼称する。
【０００７】
ネットワーク型映像記録装置２１は、ネットワーク３を介して、カメラ装置（本例では、ＩＰカメラ）４から映像データを取得し、記録媒体ユニット１に格納する。
ネットワーク型映像記録装置２１は、ネットワーク３を介して、視聴ＰＣ５から映像要求を受信し、これに応じて、記録媒体ユニット１から映像データを読み出して、視聴ＰＣ５へ送信する。
ネットワーク型映像記録装置２１の運用設定は、ネットワーク３を介した視聴ＰＣ５で稼動するＷｅｂ画面又は専用ソフトを用いて行われる。
【０００８】
ネットワーク型映像記録装置２１は、複数の記録媒体ユニット１を複数であるｍ個格納可能であるとする。本例では、格納するｍ個の記録媒体ユニット１を記録媒体ユニット１−１〜記録媒体ユニット１−ｍで表す。
複数ある記録媒体ユニット１−１〜１−ｍにどのように映像データを記録するかについては、ネットワーク型映像記録装置２１の運用設定で変更することが可能である。
【０００９】
運用方法の一つとして、全ての記録媒体ユニット１−１〜１−ｍを仮想的に１つのボリュームとして扱い、場合によっては冗長性を持たせ、ＲＡＩＤ（Ｒｅｄｕｎｄａｎｔ  Ａｒｒａｙｓ  ｏｆ  Ｉｎｅｘｐｅｎｓｉｖｅ  Ｄｉｓｃｓ）として運用する方法がある。
また、別の運用方法として、複数の記録媒体ユニット１を記録映像の期間で使い分ける方法があり、例えば、記録媒体ユニット１−１には１月の映像データを記録させ、記録媒体ユニット１−２には２月の映像データを記録させ、以降も同様に、記録媒体ユニット１−ｍにはｍ月の映像データを記録させるという運用方法もある。
【００１０】
また、これらの中間的な運用方法として、記録媒体ユニット１−１と記録媒体ユニット１−２をペアとして同一の月（例えば、１月分）の映像データを記録させ、記録媒体ユニット１−３と記録媒体ユニット１−４をペアとして他の同一の月（例えば、２月分）の映像データを記録させ、以降も同様にするという運用方法もある。
【先行技術文献】
【特許文献】
【００１１】
【特許文献１】特開２００８−１４６７８９号公報
【発明の概要】
【発明が解決しようとする課題】
【００１２】
しかしながら、上述のような映像記録装置では、例えば、一定期間分の映像が記録された記録媒体ユニット１をラックユニット２から取り外して保管場所にて長期保存する運用において、記録媒体ユニット１内の映像データを容易に視聴可能とし、且つ、記録媒体ユニット１内の映像の不用意な消去や上書きを防ぐことが必要であり、このための技術の開発が要求されていた。
【００１３】
また、最近では情報漏えい対策が強化されていく中、ＵＳＢやｅ−ＡＴＡ端子を塞ぎ、ＬＡＮ以外の外部接続端子を持たないＰＣも増えてきており、こういったＰＣでの視聴も可能とする必要がある。
また、保管中の記録媒体ユニット１から映像データを確認する場合には、往々にして、複数の人で同時に確認したり、役割の異なる複数の処理（例えば、特定時刻の映像近辺の再生と、特定人物の検索、等）を同時に行いたいことがある。しかしながら、その視聴のために、ネットワーク型映像記録装置２１の現時刻の映像記録を止めて、視聴用に用いることは現実的ではなく、また、もう一台、視聴専用にネットワーク型映像記録装置２１を用意することはコストが高く敬遠される。
【００１４】
本発明は、このような従来の事情に鑑み為されたもので、記録媒体ユニットへの映像記録や、記録媒体ユニットからの映像再生を効果的に行うことができる映像記録装置を提供することを目的とする。
なお、一構成例として、本発明では、上述した背景技術の欄の最後の方に記載したうちの後者の運用方法で、取り外された記録媒体ユニット１をそのまま長期保存メディアとして用いる運用に適用することを可能とする。また、これに限られず、本発明は、種々な運用に適用されてもよい。
【課題を解決するための手段】
【００１５】
上記目的を達成するため、本発明では、映像を記録する記録媒体が脱着可能である映像記録装置において、次のような構成とした。
すなわち、前記記録媒体は、ネットワークと接続する機能と、記録された映像を前記接続されたネットワークを介して出力する機能を有する。更に、前記記録媒体が前記映像記録装置の本体に格納されている状態では映像の書き込みと読み出しが可能である一方、前記記録媒体が前記映像記録装置の本体から取り出されてネットワークと接続されている状態では記録された映像の読み出しのみが可能であるように構成された。
【００１６】
従って、例えば、記録媒体ユニットへの映像記録や、記録媒体ユニットからの映像再生を効果的に行うことができる。一例として、映像記録装置の本体から取り外された記録媒体ユニットをそのまま長期保存メディアとして用いる運用に適用することが可能である。
ここで、映像記録装置（その本体や、その本体に脱着可能な記録媒体）の構成としては、種々なものが用いられてもよい。
また、ネットワークとしては、種々なものが用いられてもよい。
【発明の効果】
【００１７】
以上説明したように、本発明に係る映像記録装置によると、例えば、記録媒体ユニットへの映像記録や、記録媒体ユニットからの映像再生を効果的に行うことができる。
【図面の簡単な説明】
【００１８】
【図１】記録媒体脱着型の映像記録装置の構成例を示す図である。
【図２】本発明の一実施例に係る記録媒体ユニット１の外観例を示す図である。
【図３】本発明の一実施例に係る記録媒体ユニットの内部の構成例を示す図である。
【図４】本発明の一実施例に係るラックユニットの外観例を示す図である。
【図５】本発明の一実施例に係るラックユニットの内部の構成例を示す図である。
【図６】本発明の一実施例に係る長期保存された記録媒体ユニット内の映像データを視聴する場合の例を示す図である。
【図７】本発明の一実施例に係る複数の記録媒体ユニットと複数の視聴ＰＣをＬＡＮで接続した場合の例を示す図である。
【発明を実施するための形態】
【００１９】
本発明に係る実施例を図面を参照して説明する。
なお、本発明の一実施例に係る記録媒体脱着型の映像記録装置の概略的な構成は、上述した背景技術で参照された図１に示されるものと同様であり、本実施例では、説明の便宜上から、図１に示されるものと同一の符号を用いて説明するが、本発明を不要に限定する意図はない。
【００２０】
本実施例では、特に、ラックユニット２に記録媒体ユニット１が格納されているときには、記録媒体ユニット１を読み書き可能な記録媒体とし、また、ラックユニット２から記録媒体ユニット１が取り外された際には、記録媒体ユニット１をネットワーク接続の読み出し専用の記録媒体とすることに特徴がある。
また、本実施例では、説明を簡易にするために、記録デバイスをＨＤＤとして説明するが、これはＨＤＤに限定するものではなく、例えば、ＳＳＤや他の記録媒体が用いられてもよい。
【００２１】
図２には、本発明の一実施例に係る記録媒体ユニット１の外観例を示してある。
具体的には、記録媒体ユニット１の前面１０の外観例と、記録媒体ユニット１の背面１１の外観例を示してある。
前面１０には、ランプ１００が存在する（設けられている）。このランプ１００は記録媒体ユニット１の動作状況を色で示す。
背面１１には、ＨＤＤ用電源端子１１１と、ＨＤＤ用信号端子１１２と、ＬＡＮ端子１１３と、電源端子１１４と、電源スイッチ１１５と、通気口１１６が存在する（設けられている）。
【００２２】
ＨＤＤ用電源端子１１１は、ＳＡＴＡ規格に準じた形状の電源端子であり、ラックユニット２内への格納時に、ラックユニット２からの電源供給に使用される。
ＨＤＤ用信号端子１１２は、誤って視聴ＰＣと接続されることを防ぐために、独自形状の端子、又は、通常のｅ−ＳＡＴＡデバイスとは雄雌が逆となる端子とする。これは、ラックユニット２内への格納時に、ラックユニット２のＨＤＤインターフェイスと接続して、信号の送受信に用いられる。
【００２３】
ＬＡＮ端子１１３は、一般的なネットワークケーブルであるイーサネット（登録商標）ケーブルの端子である。これは、ＰｏＥ（Ｐｏｗｅｒ  Ｏｖｅｒ  Ｅｔｈｅｒｎｅｔ（登録商標））に対応しており、この端子から電源供給を受けることも可能とする。また、ＬＡＮ端子１１３は、記録媒体ユニット１をラックユニット２から取り外した後に使用され、ラックユニット２への格納時には使用されない。
電源端子１１４は、ＡＣアダプターと接続するための電源端子である。この端子は、記録媒体ユニット１をラックユニット２から取り外した後に、ＬＡＮ端子１１３から電源供給を受けない場合に使用される。
【００２４】
電源スイッチ１１５は、記録媒体ユニット１をラックユニット２から取り外した後における電源スイッチとして使用される。ラックユニット２の記録媒体１接続部には電源スイッチ１１５にふれる突起があり、これにより、記録媒体ユニット１をラックユニット２に収める時には、電源スイッチ１１５はオフ（ＯＦＦ）の状態となるように構成されている。
通気口１１６は、記録媒体ユニット１内部のＨＤＤからの廃熱を行うための通気口である。発熱量の多いＨＤＤを用いる場合には、通気口１１６に電動ファンを設置することが好ましい。
【００２５】
ランプ１００は、その発色によって記録媒体ユニット１の動作状態を示す。本例では、ラックユニット２に格納されている時には青系の色で状態を示し、単体動作時には緑系の色で状態を示し、異常のある時には赤系の色を示す。また、ラックユニット２への格納時における待機時には暗い青を示し、映像データの記録や読み出しなどのアクセスがある時には明るい青を示す。また、単体動作時において待機時には暗い緑を示し、映像データの読み出しなどのアクセスがある時には明るい緑を示す。また、異常時には明暗点滅パターンで異常状態を示す。
【００２６】
図３には、記録媒体ユニット１の内部の構成例を示してある。
具体的には、ＨＤＤ用電源端子１２０１、ＨＤＤ用信号端子１２０２、ネットワークインターフェイス（ネットワークＩ／Ｆ）１２０３、電源端子（電源アダプタ端子）１２０４、電源スイッチ１２０５、制御基盤１２１０、信号バス１２１１、ＣＰＵ（Ｃｅｎｔｒａｌ  Ｐｒｏｃｅｓｓｉｎｇ  Ｕｎｉｔ）１２１２、揮発性ＲＡＭ（Ｒａｎｄｏｍ  Ａｃｃｅｓｓ  Ｍｅｍｏｒｙ）１２１３、不揮発性ＲＡＭ１２１４、ＨＤＤインターフェイス（ＨＤＤ  Ｉ／Ｆ）１２１５、電源回路１２１６、ダイオード１２１７、ダイオード１２１８、ランプ回路１２１９、ＨＤＤ１２２０、電源端子１２２１、信号端子１２２２、記録デバイス１２２３を示してある。
【００２７】
ここで、ＨＨＤ用電源端子１２０１は、ＨＤＤ用電源端子１１１を内側から見たものを示している。
ＨＤＤ用信号端子１２０２は、ＨＤＤ用信号端子１１２を内側から見たものを示している。
電源スイッチ１２０５は、電源スイッチ１１５を内側から見たものを示している。
【００２８】
制御基盤１２１０は、記録媒体ユニット１の制御基盤であり、コンピュータボードとしてＯＳとＮＤＲ（ネットワークデジタルレコーダ：ＮＤＲは登録商標）として動作させるためのソフトウェアを稼動させる。
制御基盤１２１０には、ＣＰＵ１２１２と、揮発性ＲＡＭ１２１３と、不揮発性ＲＡＭ１２１４と、ネットワークＩ／Ｆ１２０３と、ＨＤＤ  Ｉ／Ｆ１２１５と、電源スイッチ１２０５が配置されており、これらが信号バス１２１１に接続されている。
【００２９】
ランプ回路１２１９は、ランプ１００を制御する回路である。
ネットワークＩ／Ｆ１２０３は、本例では、ＬＡＮ端子１１３の電力供給用の端子を電源回路１２１６に接続する。また、ＬＡＮ端子１１３の信号線と信号バス１２１１を接続して、入出力可能な状態に信号を変換する。
電源端子１２０４は、電源端子１１４を内側から見たものであり、電力線を電源回路１２１６に接続する。
【００３０】
ＨＤＤ１２２０において、電源端子１２２１はＨＤＤの電源端子を示しており、信号端子１２２２はＨＤＤの信号端子を示しており、記録デバイス１２２３はＨＤＤの円盤状の記録面を示している。
不揮発性ＲＡＭ１２２４には、ＯＳ及びＮＤＲソフトウェアが格納されている。
ＣＰＵ１２１２は、ＯＳ及びＮＤＲとして稼動させるＮＤＲソフトウェアを実行する。
揮発性ＲＡＭ１２１３は、ＯＳ及びＮＤＲソフトウェアの一時情報、及び、ネットワークとＨＤＤとの間で送受信するための映像データを一時的に格納する際に用いる。
【００３１】
ＨＤＤ  Ｉ／Ｆ１２１５は、制御基盤１２１０に電源供給が行われている状態では、ＨＤＤの信号端子１２２２への信号線と信号バス１２１１とを接続して、入出力可能な形に信号を変換する。
ＨＤＤ  Ｉ／Ｆ１２１５は、制御基盤１２１０に電源供給が行われていない状態では、ＨＤＤの信号端子１２２２への信号線とＨＤＤ用信号端子１２０２とを接続する。
ＨＤＤ  Ｉ／Ｆ１２１５は、信号バス１２１１からの信号をＨＤＤ用信号端子１２０２へは出力しない。同様に、ＨＤＤ  Ｉ／Ｆ１２１５は、ＨＤＤ用信号端子１２０２からの信号を信号バス１２１１へは出力しない。
【００３２】
電源スイッチ１２０５は、ソフトウェアスイッチである。電源スイッチ１１５がオン（ＯＮ）とされると、連動して、電源回路１２１６がオンとなり、制御基盤１２１０とＨＤＤ１２２０への電力供給が行われる。
一方、制御基盤１２１０へ電力供給を行っている状態で、電源スイッチ１１５がオフとされると、電源スイッチ１２０５はオフを示す状態となる。ＣＰＵ１２１２で稼動するプログラムが定期的に電源スイッチ１２０５の状態を確認しており、オフとなったことを検知すると、終了時シーケンスを開始する。
終了時シーケンスでは、ネットワーク経由で視聴中のユーザに対して終了を通知し、ＨＤＤへ終了を通知し、ＯＳの停止時に電源回路１２１６をオフとし、電源供給を終了する。
【００３３】
電源回路１２１６は、信号線を信号バス１２１１に接続する。
電源回路１２１６は、電源端子１２０４及びネットワークＩ／Ｆ１２０３から供給された電力を、制御基盤１２１０と、ダイオード１２１７を経由したＨＤＤの電源端子１２２１へ供給する。
ダイオード１２１７は、ＨＤＤ用電源１２０１からの電力を制御基盤１２１０（例えば、電源回路１２１６）に流さないために設置されている。
ダイオード１２１８は、電源回路１２１６からの電力をＨＤＤ用電源端子１２０１に流さないために設置されている。
【００３４】
ランプ回路１２１９は、ＨＤＤ用電源端子１２０１と、電源回路１２１６と、信号バス１２１１と、ＨＤＤの信号端子１２２２に接続されている。
ランプ回路１２１９は、電源回路１２１６から電力供給があり、信号バス１２１１から異常を示す信号を受けた場合には、その異常値に対応したパターンで赤色発光する。
ランプ回路１２１９は、電源回路１２１６から電力供給があり、信号バス１２１１から正常を示す信号を受けた場合には、ＨＤＤの信号端子１２２２を監視して、ＨＤＤへのアクセス状況を緑色発光で示す。
ランプ回路１２１９は、電源回路１２１６から電力供給がなく、ＨＤＤ用電源端子１２０１から電力供給がある場合には、ＨＤＤの信号端子１２２２を監視し、ＨＤＤへのアクセス状況を青色発光で示す。
【００３５】
不揮発性ＲＡＭ１２１４に格納してあるＯＳでは、ＨＤＤ１２２０をリードオンリー属性とする。
ＣＰＵ１２１２で稼動する全てのプログラムは、ＨＤＤ１２２０に書き込みを行わない。ログ出力等のように保存が必要な情報については、不揮発性ＲＡＭ１２１４に確保した専用領域に記録する。
ＮＤＲソフトウェアは、映像の記録機能を省いてあり、映像の追記や上書きは行わない。
【００３６】
図４には、ラックユニット２の外観例を示してある。
ラックユニット２の前面には、動作状態を示す表示パネル（表示板）２０１と、電源スイッチ２０２と、記録媒体ユニット１の脱着用スイッチ２０３と、記録媒体ユニット１を格納するスロット２０４が存在する（設けられている）。
ここで、脱着用スイッチ２０３とスロット２０４は、格納する記録媒体ユニット数分存在し、一対一の関係となっている。
本例では、説明を簡易化するために、記録媒体ユニット１の格納数を４としており、脱着用スイッチ２０３−１〜２０３−４及びスロット２０４−１〜２０４−４と示しているが、その数としては任意の数が用いられてもよい。
図４の例では、スロット２０４−１からスロット２０４−３には記録媒体ユニット１が格納されており、スロット２０４−４は空きスロットとなっている（つまり、記録媒体ユニット１が格納されていない）。
【００３７】
電源スイッチ２０２がオンとされると、ラックユニット２に電力が供給されて稼動を開始する。電源スイッチ２０２がオフとされると、ラックユニット２内部で終了処理が行われてそれが完了した後に、電力供給が停止される。
表示パネル２０１は、ラックユニット２に電力供給されている間は、ラックユニット２の動作状態を表示する。例えば、起動処理中の進捗状況、終了処理の進捗状況、正常動作中であるか或いは異常がある状態であるか、各記録媒体ユニット１の動作状態、現在いずれの記録媒体に映像記録を行っているか、各記録媒体内に記録された映像データの範囲（例えば、最古時刻と最新時刻）、ＩＰカメラ４からの映像取得状態、視聴ＰＣ５の接続数、等の状態に関する情報を表示する。
【００３８】
脱着用スイッチ２０３が押されることによって、スロット２０４内のロック機構が解除されて、スロット２０４内の記録媒体ユニット１を取り外せる状態となる。
例えば、ラックユニット２に電源が供給されていない状態の時には、脱着用スイッチ２０３が押されることで、スロット２０４内部のロック機構が外れ、記録媒体ユニット１が手前側にせりだして、取り出しが可能となる。
また、ラックユニット２に電源が供給されている稼動状態の時には、脱着用スイッチ２０３（例えば、２０３−１）が押されると、ラックユニット２内部でスロット２０４（例えば、２０４−１）の記録媒体ユニット１の停止処理が行われ、この停止処理が終了した後に記録媒体ユニット１の電力供給を停止し、その後に、スロット２０４（例えば、２０４−１）内のロック機構が外れ、記録媒体ユニット１が手前側にせりだして、取り出しが可能となる。
【００３９】
また、記録媒体ユニット１をラックユニット２へ格納するときには、記録媒体ユニット１を空いているスロット２０４（例えば、２０４−４）に入れ、奥まで押し込むことで格納される。これにより、スロット２０４内部のロック機構が働き、ラックユニット２内部で使用開始処理が行われて、今回挿入された記録媒体ユニット１にも映像データの記録が開始される。
【００４０】
図５には、ラックユニット２の内部の構成例を示してある。
ラックユニット２には、制御基盤２１００と、ｍ個のスロット基盤２２００−１〜２２００−ｍと、電源ユニット２１１０と、電源スイッチ２０２が存在する（設けられている）。
スロット基盤２２００−１〜２２００−ｍは、ラックユニット２のスロット数分存在する。
【００４１】
制御基盤２１００は、ラックユニット２の制御基盤であり、コンピュータボードとしてＯＳとＮＤＲとして動作させるためのソフトウェアを稼動させる。
制御基盤２１００には、ＣＰＵ２１０２と、揮発性ＲＡＭ２１０３と、不揮発性ＲＡＭ２１０４と、ネットワークインターフェイス（ネットワークＩ／Ｆ）２１０６と、ＨＤＤインターフェイス（ＨＤＤ  Ｉ／Ｆ）２１０５と、表示パネル２０１が配置されており、これらが信号バス２１０１に接続されている。
【００４２】
不揮発性ＲＡＭ２１０４には、ＯＳ及びＮＤＲソフトウェアが格納されている。
ＣＰＵ２１０２は、ＯＳ及びＮＤＲとして稼動させるＮＤＲソフトウェアを実行する。
揮発性ＲＡＭ２１０３は、ＯＳ及びＮＤＲソフトウェアの一時情報、及び、ネットワークとＨＤＤとの間で送受信するための映像データを一時的に格納する際に用いられる。
【００４３】
ＨＤＤ  Ｉ／Ｆ２１０５は、制御基盤２１００の信号バス２１０１と、各スロット基盤２２００−１〜２２００−ｍとを接続し、入出力可能な状態に信号を変換する。
ネットワークＩ／Ｆ２１０６は、ラックユニット２のＬＡＮ端子の信号線と信号バス２１０１とを接続し、入出力可能な状態に信号を変換する。
【００４４】
電源ユニット２１１０は、電源コンセントから受けた交流電流を直流電流へ変換し、制御基盤２１００と各スロット基盤２２００−１〜２２００−ｍへ電力を供給する。
また、電源ユニット２１１０は、信号バス２１０１と、電源スイッチ２０２へも接続している。
【００４５】
電源スイッチ２０２は、オンの状態とオフの状態がある。電源スイッチ２０２の状態がオフからオンへ変わると、電源ユニット２１１０は直ちに制御基盤２１００と各スロット基盤２２００−１〜２２００−ｍへ電力供給を開始する。
ＣＰＵ２１０２で動作するプログラムの中には、電源スイッチ２０２の状態を定期的に監視する終了検知プログラムが存在する。終了検知プログラムが、電源スイッチ２０２の状態がオフへ変化したことを検知すると、終了処理を開始する。そして、終了処理の最後で、電源ユニット２１１０に対して電源供給を停止してよいことを示し、これに応じて、電源ユニット２１１０は制御基盤２１００とスロット２２００−１〜２２００−ｍへの電源供給を終了する。
【００４６】
各スロット基盤２２００−１〜２２００−ｍには、電源端子２２０１−１〜２２０１−ｍと、信号端子２２０２−１〜２２０２−ｍと、ロック機構２２０３−１〜２２０３−ｍと、スイッチ２２０４−１〜２２０４−ｍが存在する（設けられている）。
電源端子２２０１−１〜２２０１−ｍは、記録媒体ユニット１のＨＤＤ用電源端子１１１と接続する端子である。
信号端子２２０２−１〜２２０２−ｍは、記録媒体ユニット１のＨＤＤ用信号端子１１２と接続する端子である。
ロック機構２２０３−１〜２２０３−ｍは、電源端子２２００−１〜２２００−ｍから電源が供給されている期間中、記録媒体ユニット１をスロット２０４−１〜２０４−ｍに固定する機構である。
スイッチ２２０４−１〜２２０４−ｍは、脱着用スイッチ２０３−１〜２０３−ｍを内部側から見たものである。
【００４７】
本例では、１台のラックユニット２に記録媒体ユニット１を複数台格納して、ネットワーク型映像記録装置２１として運用する。
ネットワーク型映像記録装置２１は、カメラ装置（本例では、ＩＰカメラ）４から受信した映像データを、そのまま記録媒体ユニット１に記録する場合もあれば、或いは、暗号化処理を行ったり、署名処理を行ったり、映像コーデックを変換して圧縮率を向上させて（例えば、ＪＰＥＧからＨ．２６４にエンコードして）記録時間を向上させたり、画像認識を行って検索用のタグを算出したりした後に、映像データを記録媒体ユニット１に記録する場合もある。映像データにどのような加工を行って記録媒体ユニット１に記録させるかについては、ネットワーク型映像記録装置２１の運用設定で変更が可能である。
【００４８】
ネットワーク型映像記録装置２１では、記録媒体ユニット１を複数格納している場合には、映像データをどのように記録媒体ユニット１に記録していくかについては、運用設定で指定が可能であり、例えば、以下に示すようなモード（モード１）〜（モード６）を選択することが可能である。
【００４９】
（モード１）全ての記録媒体ユニット１を１つのボリュームとして扱い、各カメラ装置（本例では、ＩＰカメラ）４の映像を記録する運用方法。
（モード２）前記した（モード１）に冗長性をもたせ、ＲＡＩＤとして運用する方法。
（モード３）いずれのカメラ装置（本例では、ＩＰカメラ）４からの映像データをいずれの記録媒体ユニット１に記録するかを指定し、記録媒体ユニット１毎に記録するカメラ装置４を分ける運用方法。
（モード４）何時からいつまでの映像データについては記録媒体ユニット１−１、その次の期間の映像データについては記録媒体ユニット１−２、その次の期間の映像データについては記録媒体ユニット１−３、・・・というように、記録媒体ユニット１毎に記録する期間を分ける運用方法。
（モード５）前記した（モード３）又は（モード４）で、冗長性をもたせるためのミラー運用として、記録媒体ユニット１を２台ずつペアとして同じ映像データを記録する運用方法。
（モード６）前記した（モード３）〜（モード５）を組み合わせる運用方法。
【００５０】
ここで、前記した（モード４）〜（モード６）の運用では、ネットワーク型映像記録装置２１の運用中に取り外された記録媒体ユニット１には、特定期間の映像データが収まっており、長期保存用の映像データとしても扱うことが可能である。
【００５１】
図６を参照して、前記した（モード４）〜（モード６）の運用方法で記録され、長期保存された記録媒体ユニット１内の映像データを視聴する場合の例を示す。
図６には、記録媒体ユニット１−１と、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有してＰｏＥに対応したネットワークルータ（又は、他の構成例として、ハブネットワークスイッチ）３０と、視聴ＰＣ５を示してある。
【００５２】
記録媒体ユニット１−１と、視聴ＰＣ５は、それぞれ、ネットワークケーブルを介して、ネットワークルータ３０に接続されている。
記録媒体ユニット１−１は、ネットワークルータ３０から電源供給を受けている。視聴ＰＣ５と記録媒体ユニット１−１は、ネットワークルータ３０から各自のＩＰアドレスを取得する。
【００５３】
視聴ＰＣ５で稼動する視聴ソフトウェアは、その起動時及び視聴者（ユーザ）が意図的に記録媒体ユニットの探索を指示した際に、ＡＲＰ（Ａｄｄｒｅｓｓ  Ｒｅｓｏｌｕｔｉｏｎ  Ｐｒｏｔｏｃｏｌ）パケットを発し、ＬＡＮ内に存在する全装置のＩＰアドレスを取得して、各装置に対してＮＤＲとして稼動しているか否かを問い合わせるＨＴＴＰ（Ｈｙｐｅｒｔｅｘｔ  Ｔｒａｎｓｆｅｒ  Ｐｒｏｔｏｃｏｌ）を用いたＣＧＩ（Ｃｏｍｍｏｎ  Ｇａｔｅｗａｙ  Ｉｎｔｅｒｆａｃｅ）コマンドを発し、ＬＡＮ内の全ＮＤＲのＩＰアドレスを取得して、各ＮＤＲに対して記録映像の内容（ＨＤＤに記録した全カメラ装置（本例では、ＩＰカメラ）の記録期間）を問い合わせるＣＧＩコマンドを発し、ＬＡＮ内の全ＮＤＲが保持する映像のソース（本例では、ＩＰカメラ）と期間（例えば、最古時刻と最新時刻）の情報を取得する。
【００５４】
視聴ＰＣ５で稼動する視聴ソフトウェアは、ＬＡＮ内の全ＮＤＲが保持する映像のソースと期間を表形式で画面に表示する。視聴者は、その表から、視聴を希望するソースと時刻を選択して、映像を視聴する。
このとき、視聴ソフトウェアは、映像要求として、映像ソースを示す情報と映像時刻の情報をＣＧＩコマンドの引数として記録媒体ユニット１−１へ送信し、この要求に応じて記録媒体ユニット１−１は、内部のＨＤＤから該当する映像データを読み出して視聴ＰＣ５の視聴ソフトウェアへ送信し、これに応じて視聴ソフトウェアは、受信した映像データをデコードして画面に表示する。
【００５５】
また、記録媒体ユニット１は、ラックユニット２から外された状態では、ＨＤＤをリードオンリーの状態として稼動し、映像データの上書きや追記は発生しない。このとき、記録媒体ユニット１は、ネットワークを介して映像データを格納するＨＤＤ領域について書き込みや消去を行うコマンド類には一切応じない。
【００５６】
ここで、図６では、記録媒体ユニット１−１と視聴ＰＣ５とを１対１の関係で示した。
図７には、他の構成例として、複数であるｍ個の記録媒体ユニット１−１〜１−ｍと複数であるＬ個の視聴ＰＣ５−１〜５−ＬをＬＡＮ（本例では、ネットワーク３）で接続した場合の例を示してある。
視聴ＰＣ５の視聴ソフトウェアは、「ＡＲＰ、ＮＤＲ動作確認、ＮＤＲ範囲情報取得」という一連の探索を行うことで、ＬＡＮ内に複数台の記録媒体ユニット１が存在しても、各記録媒体ユニット１内のソースと範囲情報（本例では、期間の情報）を取得することが可能である。
【００５７】
視聴ＰＣ５の視聴ソフトウェアは、複数の記録媒体ユニット１が存在する場合には、記録媒体ユニット１毎に、ソースと期間の表を提示することが可能である。
また、視聴ＰＣ５の視聴ソフトウェアは、例えば、複数の記録媒体ユニット１を仮想化し、あたかも１台の記録媒体ユニットであるかのごとく、視聴者にソースと期間の一覧表を提示する構成とすることも可能である。
また、記録媒体ユニット１は、ネットワーク接続であるため、同時に複数の視聴ＰＣ５に映像データを送信することも可能である。
【００５８】
具体例として、視聴ＰＣ５−１では視聴者が視聴ソフトウェアである映像を確認し、視聴ＰＣ５−２では別の視聴者が視聴ソフトウェアで別の時刻の映像を確認し、視聴ＰＣ５−１では画像認識ソフトウェアで特定の人間（特定の人間の画像部分）を探す、というように、複数人数での視聴や、画像認識や解析といったソフトウェアへの映像データの送信を、同時に行うことが可能である。
【００５９】
ラックユニット２では、カメラ装置（本例では、ＩＰカメラ）４から映像データを取得した際に、暗号化処理、署名処理、映像コーデックの復号及び再符号化の処理、画像認識処理等のように、演算量の大きい処理を行う場合があるため、演算能力の高いＣＰＵを使用することが好ましい。
一方、本例の記録媒体ユニット１では、映像の取得を行わないため、映像データのデコード等のように演算量の大きい処理は発生しない。本例の記録媒体ユニット１では、視聴ＰＣ５からの映像要求の受け付けと、ＨＤＤからの映像データの読み出しと、送信等のように、演算量が少ない処理のみを行えばよいため、演算能力の低い安価なＣＰＵを採用することができる。
【００６０】
ここで、本実施例では、有線ＬＡＮを用いた構成例を示したが、これに限定されるものではなく、例えば、ラックユニット２から記録媒体ユニット１が取り外された時に有効となる無線送電や無線ＬＡＮを用いたような構成を実施することも可能である。
【００６１】
以上のように、本例では、記録媒体が脱着可能な映像記録装置（記録媒体脱着型の映像記録装置）において、記録媒体単体においてもネットワーク接続機能と映像配信能力（映像配信機能）を有する。
また、本例では、このような記録媒体において、映像記録装置内に格納されている場合には映像データの書き込みと読み出しを行うことができる一方、映像記録装置から取り出されて単体でネットワーク接続する場合には映像データの更新や消去機能を排して読み出しのみを行うことができるように構成してある。
【００６２】
なお、本例では、記録媒体ユニット１により映像を記録する記録媒体が構成されており、ネットワーク型デジタル記録装置（ラックユニット）２によりネットワーク型映像記録装置２１の本体が構成されている。また、本例では、図２、図３、図６、図７などを参照して説明したように、記録媒体ユニット１は、ネットワーク（例えば、ＬＡＮ）と接続する機能や、記録された映像を接続されたネットワークを介して出力（例えば、配信）する機能を有しており、また、ラックユニット２に格納されている状態では映像の書き込みと読み出しが可能である一方、ラックユニット２から取り出されてネットワークと接続されている状態では記録された映像の読み出しのみが可能であるように構成されている。
【００６３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００６４】
１、１−１〜１−ｍ・・記録媒体ユニット、  ２・・ネットワーク型デジタル記録装置（ラックユニット）、  ３・・ネットワーク（伝送路）、  ４、４−１〜４−ｎ・・カメラ装置、  ５、５−１〜５−Ｌ・・情報端末装置（視聴ＰＣ）、  １０・・前面、  １１・・背面、  ２１・・ネットワーク型映像記録装置、  ３０・・ネットワークルータ、  １００・・ランプ、  １１１・・ＨＤＤ用電源端子、  １１２・・ＨＤＤ用信号端子、  １１３・・ＬＡＮ端子、  １１４・・電源端子、  １１５・・電源スイッチ、  １１６・・通気口、  ２０１・・表示パネル（表示板）、  ２０２・・電源スイッチ、  ２０３−１〜２０３−ｍ・・脱着用スイッチ、  ２０４−１〜２０４−ｍ・・スロット、  １２０１・・ＨＤＤ用電源端子、  １２０２・・ＨＤＤ用信号端子、  １２０３・・ネットワークインターフェイス、  １２０４・・電源端子、  １２０５・・電源スイッチ、  １２１０・・制御基盤、  １２１１・・信号バス、  １２１２・・ＣＰＵ、  １２１３・・揮発性ＲＡＭ、  １２１４・・不揮発性ＲＡＭ、  １２１５・・ＨＤＤインターフェイス、  １２１６・・電源回路、  １２１７、１２１８・・ダイオード、  １２１９・・ランプ回路、  １２２０・・ＨＤＤ、  １２２１・・電源端子、  １２２２・・信号端子、  １２２３・・記録デバイス、  ２１００・・制御基盤、  ２１０１・・信号バス、  ２１０２・・ＣＰＵ、  ２１０３・・揮発性ＲＡＭ、  ２１０４・・不揮発性ＲＡＭ、  ２１０５・・ＨＤＤインターフェイス、  ２１０６・・ネットワークインターフェイス、  ２１１０・・電源ユニット、  ２２００−１〜２２００−ｍ・・スロット基盤、  ２２０１−１〜２２０１−ｍ・・電源端子、  ２２０２−１〜２２０２−ｍ・・信号端子、  ２２０３−１〜２２０３−ｍ・・ロック機構、  ２２０４−１〜２２０４−ｍ・・スイッチ、
【図１】
2010157300.tif 000003
【図２】
2010157300.tif 000004
【図３】
2010157300.tif 000005
【図４】
2010157300.tif 000006
【図５】
2010157300.tif 000007
【図６】
2010157300.tif 000008
【図７】
2010157300.tif 000009